(57)【要約】  原子力施設の制御要素の中性子吸収能力の検出に使用できる検出装置は、中性子透過撮影装置およびロボット装置を含む。当該中性子透過撮影装置は、強度可変の中性子放出源、検出器アレイ、マスク装置および位置決めロボットを含み、いずれも中央処理・データ収集装置の制御下にある。当該中性子放出源は、有利なことに、線源強度を変えられるオン状態とオフ状態の間で切り替え可能であるため、当該中性子放出源を原子力発電所内の検査プール（非限定的な例として使用済燃料または輸送キャスクを定置するプールを含む）に入れること以外に遮蔽を施す必要がない。当該中性子放出源は当該制御要素の翼の片側に位置して中性子ストリームを発生させ、当該検出器アレイは翼の反対側に位置し、当該中性子放出源および当該検出器アレイはロボットによって操作されて当該翼に沿って前進する。当該検出器アレイはリアルタイムで監視され、当該マスク装置のさまざまなマスクを当該中性子放出源と当該検出器アレイの間に配置すると、ブレード上の中性子が透過する位置をより詳しく特定することが可能となる。【選択図】図１
2020531806.tif 000002
【特許請求の範囲】
【請求項１】
原子力施設（８）の制御要素（６）の中性子吸収能力の検出に使用できる検出装置（４）であって、当該検出装置は、
プロセッサと記憶装置とを具備するプロセッサ装置（１６）と、
当該プロセッサ装置と通信可能であり、多数のマニピュレータ（６２）を具備するロボット装置（１４）と、
中性子放出源（３２）、検出器アレイ（３６）およびマスク装置（３８）を具備し、一般に、当該中性子放出源と当該検出器アレイの間に当該制御要素を受け入れるように構成された中性子透過撮影装置（１２）とを具備し、
当該中性子放出源は、オン状態とオフ状態の間で切り替え可能であり、オン状態のときは通電状態にあって中性子ストリーム（５０）を発生し、オフ状態のときは非通電状態にあって有意な中性子ストリームを出力しないように構成されており、
当該検出器アレイは、当該中性子ストリームのうちの吸収されずに当該制御要素を透過した部分を検出し、さらに、当該中性子ストリームのうちの吸収されなかった部分を表す出力信号を発生するように構成されており、
当該マスク装置は、当該多数のマニピュレータのうちの少なくとも第１のマニピュレータによって多数の位置にわたって移動可能であり、当該多数の位置のうちの一つの位置において当該マスク装置は少なくとも部分的に当該中性子放出源と当該検出器アレイの間に位置し、当該多数の位置のうちの別の位置において当該マスク装置は当該中性子放出源と当該検出器アレイとの間から取り外されていることを特徴とする
検出装置。
【請求項２】
前記マスク装置は、オリフィスを有し、概して前記中性子ストリームの通過を阻止するが、当該オリフィスを介する前記中性子ストリームの少なくとも一部の通過は許容するように構成されたマスクシステム（７０、７０Ａ，７０Ｂ）を具備することを特徴とする、請求項１の検出装置。
【請求項３】
前記オリフィスは前記中性子ストリームの一部を横断する多数の方向の多数の物理的寸法を有し、前記ロボット装置は当該多数の物理的寸法のうちの少なくとも１つの物理的寸法を第１のサイズと、当該第１のサイズとは異なる第２のサイズとの間で変化させるように操作可能であることを特徴とする、請求項２の検出装置。
【請求項４】
前記マスクシステムは第１の開口を有する第１のマスクと第２の開口を有する第２のマスクとより成り、前記ロボット装置は当該第１のマスクおよび当該第２のマスクのうちの少なくとも一方を操作可能であり、当該操作によって、当該第１の開口および当該第２の開口のうちの少なくとも一方の開口の少なくとも一部を当該第１の開口および当該第２の開口のうちのもう一方の開口の少なくとも一部と重ね合わせることにより前記オリフィスを形成することを特徴とする、請求項３の検出装置。
【請求項５】
前記第１のマスクおよび前記第２のマスクのうちの一方をもう一方に対して移動させることにより、前記少なくとも１つの物理的寸法を前記第１のサイズと前記第２のサイズの間で変化させることを特徴とする、請求項４の検出装置。
【請求項６】
前記ロボット装置は、前記第１のマスクおよび前記第２のマスクのうちの少なくとも一方をもう一方とは別個に、前記中性子放出源と前記検出器アレイの間に少なくとも部分的に移動させるように操作可能であることを特徴とする、請求項４の検出装置。
【請求項７】
前記第１の開口および前記第２の開口のうちの少なくとも一方の長さおよび幅が、前記プロセッサ装置からの指令で前記ロボット装置によって制御されることを特徴とする、請求項４の検出装置。
【請求項８】
前記第１のマスクおよび前記第２のマスクのうちの少なくとも一方が概して板状である、請求項４の検出装置。
【請求項９】
前記中性子放出源は、前記オン状態のときに、水素同位体を非限定的な典型例とする軽元素イオンを可変ビーム電流および加速度で加速して、当該ビームが集束される標的上で核融合反応を引き起こすことによって、中性子を線源アセンブリの中へ放出する、強度可変型加速器（４２）を具備することを特徴とする、請求項１の検出装置。
【請求項１０】
前記中性子放出源と前記検出器アレイの間に少なくとも部分的に配置される前記マスク装置は、中性子ストリームの少なくとも一部を遮断するか吸収するかまたはその両方を行うように構成された、請求項１の検出装置。
【請求項１１】
水プール（３０）を有する原子力施設（８）の制御要素の中性子吸収能力を検出するために請求項１の検出装置を操作する方法であって、
当該水プールに前記オフ状態の前記中性子放出源を受け入れるステップと、
前記オフ状態の前記中性子放出源を当該水プールに所定の水深まで沈めるステップと、
当該水プールの中の前記中性子放出源の深さが当該所定の水深以深に達して、前記中性子放出源の安全な操作が可能になったときに、前記中性子放出源を前記オフ状態から前記オン状態に切り替えるステップと
を含む方法。
【請求項１２】
前記検出器アレイおよび前記マスク装置を前記水プールに受け入れるステップと、
前記制御要素の少なくとも一部を概して前記中性子放出源と前記検出器アレイの間に受け入れるステップと、
前記中性子ストリームのうち吸収されずに前記制御要素の少なくとも一部を透過した部分を表す出力信号を前記検出器アレイが出力しているか否か監視するステップと
をさらに含む、請求項１１の方法。
【請求項１３】
前記監視を行いながら、前記中性子透過撮影装置および前記制御要素のうちの少なくとも一方を前記中性子透過撮影装置および前記制御要素のうちのもう一方に対して移動させることをさらに含む、請求項１２の方法。
【請求項１４】
前記中性子ストリームのうち吸収されずに前記制御要素の少なくとも一部を透過した部分を表す出力信号を前記検出器アレイから受信するステップと、
当該出力信号の受信に応答して前記制御要素の状態を処理および報告するステップと
をさらに含む、請求項１２の方法。
【請求項１５】
前記マスク装置は、オリフィスを有し、前記中性子ストリームの通過を強く阻止するが、当該オリフィスを介する前記中性子ストリームの少なくとも一部の通過は許容するように構成されたマスクシステム（７０、７０Ａ，７０Ｂ）を具備し、
前記マスク装置が前記中性子放出源と前記検出器アレイの間から取り外されて、別の位置にあるときに出力信号を受信するステップと、
当該出力信号の受信に応答して、前記マスク装置を、当該別の位置から、前記マスク装置が少なくとも部分的に前記中性子放出源と前記検出器アレイの間にある位置へ移動させるステップと、
前記中性子ストリームのうち吸収されずに前記オリフィスを通過した部分の少なくとも一部を表す別の出力信号を出力しているか否か前記検出器アレイを監視するステップと
をさらに含む、請求項１４の方法。
【請求項１６】
前記制御要素および前記オリフィスのうちの少なくとも一方を、前記オリフィスの前記制御要素に対する複数の位置の間で移動させるステップと、
当該複数の位置のうちの多数の位置において、前記別の出力信号の多数の事例を検出するステップと、
前記制御要素の翼の検査高さ、中性子源強度、マスク構成、前記検出器アレイの応答測定値および前記検出器アレイの応答予想値を記録するステップと
からなる、請求項１５の方法。
【請求項１７】
前記オリフィスは前記中性子ストリームの一部を横断する多数の方向の多数の物理的寸法を有することを特徴とする請求項１６の方法であって、
前記多数の物理的寸法のうちの一つの物理的寸法が第１のサイズであるときに前記別の出力信号の前記多数の事例を検出するステップと、
当該物理的寸法を前記第１のサイズから前記第１のサイズより小さい第２のサイズへ変化させるステップと、
前記制御要素および当該第２のサイズの前記オリフィスのうちの少なくとも一方を、前記多数の位置に含まれる複数の精細化位置の間で移動させるステップと、
当該複数の精細化位置の中の多数の精細化位置において、前記別の出力信号のさらなる多数の事例を検出するステップと、
当該さらなる多数の精細化位置を記録するステップと
をさらに含む、請求項１６の方法。
【請求項１８】
前記オン状態の前記中性子放出源を前記検出器アレイから少なくとも所定の距離を置いて配置するステップと、
前記中性子ストリームの吸収されなかった部分が前記検出器アレイによって検出されるように、前記プール水により前記中性子ストリームを十分に減速するステップと
をさらに含む請求項１７の方法。
【請求項１９】
前記マスクシステムは第１の開口を有する第１のマスクと第２の開口を有する第２のマスクとより成り、当該第１の開口および当該第２の開口のうちの少なくとも一方はマスクロボットおよび制御システムによって長さおよび幅が制御され、
当該第１のマスクおよび当該第２のマスクのうちの少なくとも一方を操作して、当該第１の開口および当該第２の開口のうちの少なくとも一方の開口の少なくとも一部を当該第１の開口および当該第２の開口のうちのもう一方の開口の少なくとも一部と重ね合わせることにより前記オリフィスを形成するステップと、
当該第１のマスクおよび当該第２のマスクのうちの一方を当該第１のマスクおよび当該第２のマスクのうちのもう一方に対して移動させるステップとを含み、その移動させるステップは、
前記少なくとも１つの物理的寸法を前記第１のサイズと前記第２のサイズの間で変化させること、および
前記制御要素に対する前記オリフィスの位置を前記複数の位置の間で移動させること
のうちの少なくとも１つを目的とすること
を特徴とする、請求項１７の方法。
【請求項２０】
前記第１のマスクおよび前記第２のマスクのうちの少なくとも一方を、前記第１のマスクと前記第２のマスクのうちのもう一方とは別個に、前記中性子放出源と前記検出器アレイの間に少なくとも部分的に位置させるように前記ロボット装置を操作するステップをさらに含む、請求項１９の方法。
【発明の詳細な説明】
【技術分野】
【０００１】
本願で開示および特許請求する発明は概して原子力発電装置に関し、具体的には、ＢＷＲおよびＰＷＲ型原子炉の制御要素の中性子吸収能力を評価するための検出装置およびその使用方法に関する。
【背景技術】
【０００２】
さまざまなタイプの原子力発電システムとして、特に沸騰水型原子炉（ＢＷＲ）と加圧水型原子炉（ＰＷＲ）の存在が知られている。ＢＷＲの構成機器には、原子力施設の原子炉内で中性子を吸収して核反応を制御する制御要素としての多数の制御棒ブレードが含まれる。本願で用いる表現「多数の」およびその変化形は、広義には、１を含む任意の数量（ゼロは除く）を指す。そのようなブレードの一例を、図１に参照符号６で示す。
【０００３】
そのような制御棒ブレードは、ハブから４つの翼が突出する十字形断面の長尺体である。各翼は、一対の隣接する燃料集合体に挟まれて、燃料集合体が入れられた水中で中性子を吸収するように構成されている。一般的に、ＢＷＲの通常運転時は、かなり少数のブレードが一対の隣接する燃料集合体に挟まれた位置から少なくとも部分的に引き抜かれており、必要に応じて、その燃料集合体に挟まれる位置へ挿入されることがある。残りの制御棒ブレードは、照射に伴う炉心の減損および原子炉の熱的余裕の関数としての炉心反応度管理要件によって決まる、部分的ないしは完全に引き抜かれた位置にある。そのように制御棒ブレードを原子炉の燃料領域にさらに挿入すると、吸収される中性子の数が増え、核反応が既知の態様で遅くなるかまたは抑制される。
【０００４】
ＢＷＲ制御棒ブレードの各々は、ホウ素または他の中性子吸収材を充填して蓋をした複数の細長い中空の通孔を有する。そのようなブレード設計のひとつのタイプは、ハブの長軸に対して実質的に垂直に延びる中空の通孔が翼の端縁部からの穿孔により形成されている。この通孔に、ホウ素または他の中性子吸収材を充填して蓋をする。そのようなブレード設計の別のタイプは、ホウ素または他の中性子材を充填して端部を蓋で閉じた細長い中空管を、十字形断面の長尺体を構成するように並べて、金属シートで覆うようなさまざまな態様のうちの任意の態様で互いに固着したものである。
【０００５】
時間が経過すると、ホウ素または他の中性子吸収材を充填したブレード内の通孔に、さまざまな態様のうちのいずれかで欠陥が生じることがある。そのような欠陥ができると、吸収材のために確保された空間に高圧の原子炉冷却水が入り込むようになる。中性子吸収材に水が浸入すると、一般的に、欠陥のある中空管中の吸収材が洗い流されて、中性子吸収材が部分的または完全になくなった領域が制御棒ブレード内に生じる。その結果、そのような欠陥のある通孔の周辺のブレード領域は、要求される通りに中性子を吸収しなくなる。制御棒ブレードの欠陥部が十分に大きくなり、複数の制御棒ブレードの挿入によって原子炉内の核連鎖反応を止める総合的な能力が低減したり、原子炉の出力分布が許容できない状況になって熱的余裕が失われたりすると、こうした吸収能力の喪失は安全および運転の観点から重大である。
【０００６】
時間が経過すると、任意所与のブレードに、そのような欠陥による中性子吸収材の欠損のため、中性子が吸収されずそのまま通過する個所がひとつかそれ以上生じる可能性がある。ブレード内に中性子をそのまま通過させる領域が或る特定の数および／または或る特定の分布で存在するのは許容できると考えることもできるが、中性子を吸収して核反応を遅らせるかして核反応を抑制するブレード全体としての能力が損なわれることがあってはならない。したがって、欠陥の徴候が視認可能かまたは運転上認められた場合には、ブレードが中性子を効果的に吸収する能力を引き続き維持し、設計および安全要件を満たしているかを評価するために、ブレードの非破壊検査を実施する必要がある。
【０００７】
そのような従来の検査方法の１つは、翼の一方の面に中性子吸収フィルムをあてがい、翼の反対側の面に中性子源を配置する。吸収されずに翼の任意所与の位置を透過した中性子は、フィルム上のその位置に痕跡を残す。そのような検査手順に使用されてきた中性子源にはカリホルニウム２５２が用いられているが、これは中性子を定常的に放出するため、輸送時だけでなく検査手順における或る特定の使用時点で特段の遮蔽が必要となる。ブレードに中性子源から中性子を十分に照射したのち、フィルムを取り外し、エックス線フィルムの場合とおおむね同じ方法で、中性子が翼を透過した領域に痕跡が含まれるか否かを検査する。次に、フィルムの評価結果に基づいて翼の中性子吸収能力を評価する。そのようなフィルムの使用は多くの理由で煩雑であるが、その理由には、ブレードの有効性の定量的評価に必要とされるフィルムの有意な露出を達成するのに長い時間がかかること、カリホルニウム２５２中性子源に特別の遮蔽が必要なこと、および検査手順の開始から結果を得るまでに長い時間を要することが含まれる。したがって、改善策が望まれる。
【発明の概要】
【０００８】
原子力施設の制御要素の中性子吸収能力の検出に使用できる改良型検出装置は、中性子透過撮影装置およびロボット装置を含む。中性子透過撮影装置は、中性子放出源、検出器アレイおよびマスク装置を含む。有利なことにオン状態とオフ状態の間で便利に切り替え可能な中性子放出源は、加速器により重水素粒子を別の重水素粒子または三重水素粒子に向けて放出させて、核融合反応によってヘリウム同位体および過剰中性子を発生させる。したがって中性子放出源は、輸送時の遮蔽が不要であり、燃料検査プールに或る特定の深さまで沈められたあと初めて通電されてオン状態になる。そのため、作業者や装置のための追加の遮蔽が不要である。中性子放出源は翼の片側に配置されて中性子ストリームを発生させ、検出器アレイは翼の反対側に配置される。中性子放出源および検出器アレイはロボット操作により翼に沿って前進する。検出器アレイは、ブレードを透過する中性子ストリームの測定により、欠陥の検出を示す出力信号が発生しているか否かリアルタイムで監視される。翼の長手方向沿いのいずれかの位置で過剰な中性子の透過が検出器アレイによって検出されなければ、その翼は検査に合格して受け入れ可能であると見なされる。一方、検出器アレイが翼の所与の位置で中性子の透過を検出した場合、中性子が透過したブレードの位置をより詳細に特定するために、マスク装置のさまざまなマスクが中性子放出源と検出器アレイの間に配置される。各マスクは、中性子吸収材の板状部材であり、小さな開口が設けられている。１つ以上のマスクを使用し、ロボットマニピュレータにより１つ以上のマスクを操作すると、検出器アレイは、各翼において中性子の透過が検出された正確な位置を特定できる。そのような処理は迅速に行うことが可能であり、処理が完了したら結果を評価し、その翼が合格したか、あるいは翼を交換または修理する必要があるかを判断することができる。
【０００９】
したがって、本願で開示および特許請求する発明の一局面は、原子力施設の制御要素の中性子吸収能力の検出および評価に使用できる改良型検出装置を提供することである。
【００１０】
本願で開示および特許請求する発明の別の一局面は、原子力施設の制御要素の中性子吸収能力を検出し評価するために、かかる検出装置を操作する改良型方法を提供することである。
【００１１】
本願で開示および特許請求する発明の別の一局面は、制御要素のブレードの中性子吸収特性をリアルタイムで評価できる、かかる装置および方法を提供することである。
【００１２】
本願で開示および特許請求する発明の別の一局面は、中性子放出源がオフ状態とオン状態の間で切り替え可能であるため、輸送時や使用時に遮蔽が不要であり、中性子放出源がオン状態のときに必要な遮蔽は燃料検査プールの水によって提供される、改良型検出装置および方法を提供することである。
【００１３】
本願で開示および特許請求する発明の別の一局面は、個別におよびさまざまな組み合わせで使用できる多数のマスクを有するマスク装置を提供することによって、原子力施設の制御要素の中性子吸収特性を迅速に評価できる改良型検出装置および方法を提供することであり、当該装置および方法では、段階的に精度が高まる評価装置により中性子の透過が検出されたブレード領域を評価できるため、ブレード全体を同じ高い分解能で評価する必要がなく、ブレードのさまざまな部分を適切な高い分解能で迅速に評価して、時間を節約できる。
【００１４】
したがって、本願で開示および特許請求する発明の一局面は、原子力施設の制御要素の中性子吸収能力の検出に使用できる改良型検出装置を提供することである。当該検出装置は概してプロセッサおよび記憶装置を含むプロセッサ装置と、当該プロセッサ装置と通信可能ｄ、概して多数のマニピュレータを具備するロボット装置と、概して中性子放出源、検出器アレイおよびマスク装置を具備する中性子透過撮影装置であって、概して当該中性子放出源と当該検出器アレイの間に当該制御要素を受け入れるように構成された中性子透過撮影装置とを含み、当該中性子放出源は通電状態でｄ中性子ストリームを発生するオン状態と非通電状態で有意な中性子ストリームを出力しないオフ状態の間で切り替え可能であり、当該検出器アレイは当該中性子ストリームのうち吸収されずに制御要素を透過した部分を検出し、さらに当該中性子ストリームのうち吸収されなかった部分を表す出力信号を発生するように構成されており、当該マスク装置は当該多数のマニピュレータのうちの少なくとも第１のマニピュレータによって多数の位置の間を移動可能であり、当該多数の位置のうちの一つの位置において当該マスク装置は少なくとも部分的に当該中性子放出源と当該検出器アレイの間に配置され、当該多数の位置のうちの別の位置において当該マスク装置は当該中性子放出源と当該検出器アレイとの間から取り外されることを特徴とする。
【００１５】
本願で開示および特許請求する発明のその他の局面では、制御要素の検査に利用できる水プールを有する原子力施設における制御要素の中性子吸収能力を検出するために上述の検出装置を操作する改良型方法が提供される。この方法は概して、当該検査用水プールにオフ状態の中性子放出源を受け入れるステップと、当該オフ状態の当該中性子放出源を当該水プールに所定の水深まで沈めるステップと、当該水プールの中の当該中性子放出源の深さが当該所定の水深以深に達して、当該中性子放出源が中性子ストリームを放出できるよう十分な遮蔽が提供されるのを条件に当該制御要素の検査を開始する時に、当該中性子放出源を当該オフ状態から当該オン状態に切り替えるステップとを含むことができる。この方法はさらに、当該検出器アレイおよび当該マスク装置を当該水プール内に受け入れるステップと、当該制御要素の少なくとも一部を概して当該中性子放出源と当該検出器アレイの間に受け入れるステップと、当該中性子ストリームのうち吸収されずに当該制御要素の少なくとも一部を透過する部分を表す出力信号を発生しているか否か当該検出器アレイを監視するステップとを含むことができる。
【図面の簡単な説明】
【００１６】
本願で開示および特許請求する発明の詳細を、添付の図面を参照して以下に説明する。
【００１７】
【図１】原子力施設の制御要素に配置された、本願で開示および特許請求する発明に基づく改良型検出装置を示す図である。
【００１８】
【図２】図１の検出装置の概略図である。
【００１９】
【図３】図１の当該検出装置および方法の別の局面を示す別の図である。
【００２０】
【図４】図３の検査装置の一部の側面図である。
【００２１】
【図５Ａ】図１の検出装置のマスク装置の一部を示す図である。
【００２２】
【図５Ｂ】本願の方法の別の段階を示す、図５Ａのマスク装置の別の図である。
【００２３】
【図５Ｃ】本願の改良型方法の別の段階を示す、当該マスク装置の別の部分の図である。
【００２４】
【図５Ｄ】本願の改良型方法のさらに別の段階を示す、当該マスク装置の別の部分の図である。
【００２５】
【図６】制御要素の翼の上の中性子信号が検出された位置の拡大図であり、当該位置に含まれる、精細度が高ければ中性子信号の検出が可能な多数の位置をさらに示している。
【００２６】
【図７Ａ】本願で開示および特許請求する発明の別の実施態様に基づく、開口の寸法が調節できるように構成可能な改良型マスクシステムを示す図である。
【図７Ｂ】本願で開示および特許請求する発明の別の実施態様に基づく、開口の寸法が調節できるように構成可能な改良型マスクシステムを示す図である。
【図７Ｃ】本願で開示および特許請求する発明の別の実施態様に基づく、開口の寸法が調節できるように構成可能な改良型マスクシステムを示す図である。
【００２７】
【図８Ａ】本願で開示および特許請求する発明に基づく改良された方法のいくつかの特定の局面を示す流れ図である。
【図８Ｂ】本願で開示および特許請求する発明に基づく改良された方法のいくつかの特定の局面を示す流れ図である。
【００２８】
同じ参照番号は、本明細書を通して同じ部分を指す。
【発明を実施するための形態】
【００２９】
本願で開示および特許請求する発明に基づく改良型検出装置４を全般的に図１、３、４に、また、図式的に図２に示す。この検出装置４は、原子力施設８の制御要素６の中性子吸収能力の検査に使用できる点で有利である。図１、３、４は、原子力施設８の複数の燃料集合体の間の通常の位置から取り出されて使用済燃料プールなどの水プール３０に入れられた状態の制御要素６を示す。ただし、本願で詳しく後述する、当該検出装置４による検査方法の対象となる制御要素６を受け入れるための水プールは任意のものでよい。
【００３０】
検出装置４は、中性子透過撮影装置１２、ロボット装置１４およびプロセッサ装置１６を含むと言える。また、検出装置４は、プロセッサ装置１６に入力信号を提供する入力装置１８と、プロセッサ装置１６からの出力信号を受け取る出力装置２０とを含む。例えば、プロセッサ装置１６、入力装置１８および出力装置２０、またはそれらの一部分などの或る特定の構成機器は、ロボット装置１４から遠隔の制御盤２１上に設置して、ロボット装置１４とアンビリカル２３によって接続することができる。さまざまな構成機器のその他の構成は自明である。
【００３１】
プロセッサ装置１６は、多数のさまざまな構成機器を含むが、本質的に、マイクロプロセッサまたは他のプロセッサと、コンピュータの内部記憶装置として機能するＲＡＭ、ＲＯＭ、ＥＰＲＯＭ、ＥＥＰＲＯＭ、ＦＬＡＳＨなどの記憶装置とを含む汎用コンピュータである。プロセッサ装置１６は、記憶装置に保存されてプロセッサ上で実行可能な多数のルーチン２２を含み、それが実行されると、プロセッサ装置１６と検出装置４が以下で詳述するような或る特定の動作を行う。入力装置１８は、多数の検出装置または他の入力機構のうちの任意のものを含むことができ、さらには、プロセッサ装置に接続された入力端子を含むことができる。出力装置２０は、多種多様な出力機構のうちの任意のものを含むことができ、非限定的な例として、画像ディスプレイ、オーディオトランスデューサおよびデータ出力装置などを含んでよい。
【００３２】
図１、３からわかるように、制御要素６は、中心のハブ２４から複数の翼２８Ａ、２８Ｂ、２８Ｃ、２８Ｄ（総称的または個別に参照符号２８で表すことがある）が延びる十字形断面の長尺体である。各翼２８には多数の通孔３９が形成されており、そのうちの少数を翼２８Ｂに破線で示してある。この通孔には、制御要素６が中性子を吸収するようにホウ素含有物質または他の中性子吸収材が充填されている。なお、通孔３９はすべての翼２８の実質的に全長にわたって設けられていることに留意されたい。以下で詳しく説明するように、検出装置４は、各翼２８に設けられた１つ以上の通孔３９の中にホウ素または他の中性子吸収材がなくなっている通孔があるため、制御要素６が１つ以上の位置で中性子を吸収せずに透過させたり、中性子の吸収が減少したりしているか否か評価できる点で有利である。
【００３３】
中性子透過撮影装置１２は、中性子放出源３２、検出器アレイ３６およびマスク装置３８を含むと言える。一般的に、中性子放出源３２は、オン状態とオフ状態の間で切り替えることができる。オンのとき、中性子放出源３２は通電状態にあり、図４に略示するように中性子ストリーム５０を放出するように構成されている。オフのとき、中性子放出源３２は非通電状態にあり、有意な中性子ストリームは放出されない。中性子放出源は、制御要素６の翼２８に対向する側面を除くすべての面が遮蔽されていると見なせるため、中性子ストリーム５０は、概して、翼２８へ向かう一方向にのみ放出される。
【００３４】
中性子放出源３２は、加速器４２、多数の第１の粒子４４および多数の第２の粒子４８を含むと言える。加速器４２は、通電時に数百キロボルトの電位差を持つ粒子加速器である。加速器４２は通電されたオン状態と通電されていないオフ状態の間で切り替え可能であるため、中性子放出源３２にはオン状態とオフ状態の間で切り替えられるという利点がある。
【００３５】
本願で例示する実施態様において、第１の粒子４４は多数の重水素粒子である。また、本願で例示する実施態様において、第２の粒子４８は、重水素粒子と三重水素粒子のいずれであってもよい。加速器４２は、通電されたオン状態のとき、第１の粒子４４を加速して第２の粒子４８に衝突させて、重水素および／または三重水素粒子の核融合を引き起こすことにより、中性子ストリーム５０を構成する中性子を生成する。第２の粒子４８が重水素粒子の場合、第１の粒子４４のうちの１個が第２の粒子４８のうちの１個と衝突すると、ヘリウム３（３Ｈｅ、原子核に陽子２個と中性子１個を含む）に加えて中性子１個が生成され、当該中性子は中性子ストリーム５０の一部として放出される。第２の粒子４８が三重水素粒子の場合、第１の粒子４４のうちの１個が第２の粒子４８のうちの１個と衝突すると、ヘリウム４（４Ｈｅ、原子核に陽子２個と中性子２個を含む）に加えて中性子が１個生成され、当該中性子は中性子ストリーム５０の一部として放出される。
【００３６】
検出器アレイは、中性子（特に中性子ストリーム５０）を検出するように構成された装置であり、同様に、翼２８に対向する面を除くすべての面が遮蔽されていると見なすことができる。検出器アレイ３６は多種多様な中性子検出装置のうちの任意のもので、非限定的な例として、ＢＦ３、３Ｈｅ、濃縮ウラン（核分裂電離箱）、または、中性子を吸収して、アルファ粒子、ベータ粒子、陽子、重陽子、または核分裂片などの荷電粒子を即発的に放出し、その後、収集された荷電粒子が電荷パルスとして測定されるかまたは積分されて電流に変換される他の同位体を含むかそのような物質で被覆された電離箱が含まれる。検出器アレイ３６は、中性子感度が高く、照射された通常の制御要素から必然的に放出される成分であるガンマ線を排除する能力があるのが望ましい。検出器アレイ３６が或る特定のしきい値を超える中性子信号を検出（すなわち中性子ストリーム５０のうち所定のしきい値を満たすかまたは超える中性子部分を検出）すると、検出器アレイ３６は警報信号を出力し、入力装置１８がその信号をプロセッサ装置１６への入力として受信する。検出器アレイ３６からのそのような警報信号の受信に応答して、ルーチン２２は、検出器アレイ３６が存在する場所でさらなる処理を開始してもよい。ルーチン２２はさらにまたはその代わりに、プロセッサ装置１６に、例えば、技術者が検知可能な出力を発生させる出力装置２２に送られる出力信号を発生させてもよい。
【００３７】
マスク装置３８は複数のマスクを含むと言える。図１、３に参照符号５２Ａ、５２Ｂ、５２Ｃ、５２Ｄで表す４つのマスクはそのうちの少なくとも一部を例示するものであるが、本願では、これらのマスクを集合的または個別に参照符号５２で表すことがある。以下で説明するように、図５Ｃに示すマスク８５はマスク５２のさらに別の例であるが、別例はこれに限定されない。各々のマスク５２は板状で、カドミウムや他の適当な物質などの中性子吸収材で形成されている。マスク５２Ａ、５２Ｂ、５２Ｃ、５２Ｄはそれぞれ参照符号５６Ａ、５６Ｂ、５６Ｃ、５６Ｄで示す開口を備えており、本願ではこれらの開口を集合的または個別に参照符号５６で表すことがある。例示する実施態様において、各開口５６は対応するマスク５２の材料の一部を切除して形成した細長いスロット状であり、その近辺に中性子ストリーム５０の一部があれば、中性子の通過を許容する。開口５６を有する各マスク５２は、追加的または代替的にコリメータと呼ぶことがある。
【００３８】
ロボット装置１４は、支持部５８および当該支持部５８上に位置し参照符号６２Ａ、６２Ｂ、６２Ｃ、６２Ｄ、６２Ｅ、６２Ｆで示す複数のマニピュレータを含むと言える。本願では、これらのマニピュレータを集合的または個別に参照符号６２で表すことがある。各マニピュレータ６２は、一方の端部が支持部５８上にあり、もう一方の端部に中性子透過撮影装置１２の構成要素が装着されたロボットマニピュレータである。例示する実施態様において、マニピュレータ６２Ａ、６２Ｂ、６２Ｃ、６２Ｄの自由端部にはそれぞれマスク５２Ａ、５２Ｂ、５２Ｃ、５２Ｄが装着されている。マニピュレータ６２Ｅには中性子放出源３２が装着され、マニピュレータ６２Ｆには検出器アレイ３６が装着されている。マニピュレータ６２はそれぞれロボット操作され、互いに独立した態様で動作可能であるため、マスク５２、中性子放出源３２および検出器アレイ３６を互いに独立に移動させることができる。図では、中性子透過撮影装置１２とロボット装置１４は４つのマスク５２（それに加えてマスク８５）および当該マスク５２が装着された対応する４つのマニピュレータ６２のみを含むように描かれているが、以下に詳述するように、具体的な用途の必要性に応じて任意の数のマニピュレータ６２および任意の数のマスク５２を使用できることがわかる。
【００３９】
例示する実施態様の開口５６Ａ、５６Ｂ、５６Ｃ、５６Ｄは、細長くほぼ矩形であり、長さはそれぞれ６４Ａ、６４Ｂ、６４Ｃ、６４Ｄ、幅は６８Ａ、６８Ｂ、６８Ｃ、６８Ｄである。前述のように、マスク５２本体は中性子を吸収するが、開口５６は中性子を通過させる。
【００４０】
ロボット装置１４はさらに、支持体５８上に位置する或る種のロボット牽引機構を含むが、当該ロボット牽引機構は、制御要素６の翼２８に係合するなどして、支持体５８を制御要素６に対して移動させるか、または制御要素６を支持体５８に対して移動させる。この点に関して、検出装置４または支持体５８またはその両方は、水プール３０の基部に位置して、水プール３０内で制御要素６を受け取って搬送するように構成された別の構造体または支持要素を含んでもよいことがわかる。別案として、制御要素６を単に水プール３０に搬入し、その上に支持体５８を装着したあと、ロボット牽引装置を操作して支持体５８を制御要素６の長軸に沿って移動させてもよい。
【００４１】
検出装置４は、使用時に、中性子放出源３２をオフ状態にして水プール３０に搬入し、中性子放出源３２が所定の深さ８２（図１）に達するまで沈める。所定の深さ８２で中性子放出源３２をオン状態に切り替えるが、水プール３０水が中性子ストリーム５０を十分に遮蔽するため、作業者を中性子ストリーム５０から防護するための追加の遮蔽は不要である。したがって、検出装置４は水プール３０にすでに存在する遮蔽効果を活用して、中性子放出源がオン状態のときに作業者を中性子ストリーム５０から遮蔽できる利点がある。中性子放出源は、オン状態とオフ状態の間で切り替えられるため、或る位置から別の位置へ移動する際と、所定の深さ８２まで沈めるまでの間に、他の遮蔽を施す必要はない。すなわち、中性子放出源３２は、移動時および所定の深さ８２まで沈めるまでの間は、単にオフ状態であり、水プール３０内の所定の深さ８２以上に沈められるまでオン状態にしない。
【００４２】
支持体５８が制御要素６上に位置するか、または制御要素６が支持体５８上に位置するとき、マニピュレータ６２Ｅ、６２Ｆを操作して、中性子放出源３２と検出器アレイ３６とを検査対象である翼２８（図１、３、４における翼２８Ａ）の互いに反対側に配置する。中性子放出源３２から放出される中性子はエネルギー状態が高すぎて検出器アレイ３６で検出できないので、中性子放出源３２を翼２８の表面から、中性子ストリーム５０の中性子が翼２８を透過する間に制御要素に十分に吸収される（欠陥が存在する場合は検出器アレイ３６によって検出される）ように中性子が熱化して減速するに十分な距離だけ離す必要がある。
【００４３】
検出操作の初期段階において、当該マスク５２を搭載したマニピュレータ６２は、図１に略示するように、マスク５２が中性子放出源３２および検出器アレイ３６から離れたところに位置するように構成される。次に、中性子放出源３２がオン状態でなければオン状態に切り替えて、検出器アレイ３６の出力信号を監視することにより、翼２８の任意所与の位置に欠陥がないか判断する。
【００４４】
出力部３６から出力が検出されない場合、支持体５８上の牽引装置を操作して、支持体５８を、マニピュレータ６２およびその上にある中性子透過撮影装置１２とともに制御要素６の長軸に沿って移動させる。検査対象である翼２８の長軸に沿ういずれの点からも検出器アレイ３６から信号が検出されない場合、翼２８は異常がないと考えられる。すなわち、中性子ストリーム５０の中性子が翼２８を吸収されずに透過するような領域は存在せず、中性子ストリーム５０の中性子がすべて翼２８に吸収され、中性子ストリーム５０のいずれの部分も検出器アレイ３６によって検出されない場合である。次に、制御要素６の別の翼２８についてこのプロセスを繰り返し、すべての翼２８を検査する。
【００４５】
一方、検出器アレイ３６が翼２８に沿ういずれかの位置で出力信号を発生すると、入力装置１８がこの信号を受けてプロセッサ装置１６へ入力し、ルーチン２２のうちの１つが、検出器アレイ３６で発生した信号を、翼２８のその位置で吸収されずに透過した中性子ストリーム５０の一部が検出されたものと見なす。図１、４に例示する一組の通孔６９は、中性子放出源３２と検出器アレイ３６とが任意所与の時点で接近して評価する、翼２８に設けられた複数の通孔６９を表す。したがって、この構成では、中性子ストリーム５０の一部が翼２８を透過したことを検出する検出器アレイ３６からの出力信号だけでは、検出器アレイ３６に隣接する１つ以上の通孔６９のうちいずれの通孔が破損してホウ素または他の中性子吸収材がなくなった可能性があるかわからない。ただし、中性子ストリーム５０の一部が翼２８で吸収されずに透過したことを表す検出器アレイ３６からの出力信号が検出されただけでは、翼２８または制御要素６に交換を必要とする欠陥があると自動的に判定されない。むしろ、分析の結果、所与の制御要素６の欠陥のある位置（すなわち、制御要素において中性子が吸収されない位置）の数が所定値を超えず、かつそのような欠陥のある位置が十分分散して分布している場合、制御要素６は有効であり、交換の必要はないと判定することができる。ただし、中性子が吸収されずに制御要素６を透過するような制御要素６上の位置とその広がりを突き止める必要がある。しかし前述のように、検出器アレイ３６から出力信号が検出されても、どの通孔６９が部分的または完全に破損しているか必ずしもわからない。したがって、中性子が吸収されずに透過する翼２８の位置で中性子信号が検出されたことを表す出力信号が検出器アレイ３６から発生したときはいつも、中性子放出源３２と検出器アレイ３６が位置する翼２８の領域をより精細に分析して、中性子が透過する翼２８の位置をより正確に特定するためのマスク装置３８の操作を行う。
【００４６】
したがって、図３に略示するように、１つ以上のマニピュレータ６２を操作して、１つ以上のマスク５２が中性子放出源３２と検出器アレイ３６の間に配置されるようにマスク装置３８を展開させると、そのように展開させたマスク５２によって形成された開口５６を通過する中性子ストリーム５０からの中性子を除くすべての中性子が検出器アレイ３６から遮断されるという利点が得られる。各マスク５２は対応するマニピュレータ６２によって個別に展開可能であるが、いずれのマスク５２も、中性子放出源３２と検出器アレイ３６の間に配置されると、開口５６が位置する個所、すなわち、開口５６と同じ長さ６４と幅６８を有する領域を除き中性子ストリーム５０からの中性子をすべて遮断すると考えられる。しかし、複数のマスク５２をその開口５６が重なり合うように展開すると、中性子ストリーム５０のうち検出器アレイ３６に到達するのは、翼２８を透過するだけでなく当該開口５６が重なり合う領域を通過した部分のみである。本願において、そのように協働する複数のマスク５２をマスクシステム７０と、また、マスクシステム７０のマスク５２の開口５６が重なり合って形成される部分をオリフィス７２と呼ぶ。互いに垂直に向いた開口５６が重なり合って形成されるオリフィス７２は、検出器アレイ３６の断面積よりはるかに小さい。したがって、翼２８の比較的小さな部分（すなわち検出器アレイ３６の断面寸法より小さい）を個別に検査することにより、翼２８のそのような位置に欠陥が存在し、中性子ストリーム５０の中性子が通過するか否かを突き止めることができる。
【００４７】
図５Ａからわかるように、マスクシステム７０は、翼２８に重なる検出器アレイ３６よりはるかに小さいオリフィス７２を有する。なお、図５Ａ、５Ｂ、５Ｃ、５Ｄの仮想線は、翼２８に重なる検出器アレイ３６の輪郭を例示するものであるが、マスク５２の開口５６が重なり合う様子を視覚化するために検出器アレイ３６は取り除かれた状態にある。
【００４８】
図５Ａからわかるように、オリフィス７２は、第１の寸法７６（本願の実施例では幅６８Ａに等しい）と第２の寸法７８（例示する実施態様では幅６８Ｂに等しい）とを有すると言える。このマスクシステム７０のマスク５２Ａ、５２Ｂが図５Ａに示すような配置構成で、翼２８上の所与の位置８４Ａに重なるオリフィス７２を通過した中性子ストリーム５０の中性子を表す出力信号を検出器アレイ３６が発生するか否か監視する。検出器アレイ３６から信号が検出された場合、その事実がプロセッサ装置１６に記録される。すなわち、プロセッサ装置１６は、翼２８の上の位置８４Ａで中性子が検出された事実を記録する。一方、マスクシステム７０が図５Ａに示すような配置にあるとき中性子が検出されなければ、プロセッサ装置１６は、翼２８上の位置８４Ａで中性子が検出されなかったという事実を記録する。
【００４９】
次に、マスクシステム７０を操作して、オリフィス７２を別の位置（例えば図５Ｂに示す位置８４Ｂ）へ移動させる。図５Ａと図５Ｂの比較からわかるように、マニピュレータ６２Ｂを用いてマスク５２を図５Ａ、５Ｂの紙面上で垂直下向きに並進させる（図５Ａから図５Ｂへ移行する）と、オリフィス７２は図５Ａの第１の位置８４Ａから図５Ｂの第２の位置８４Ｂへ移動する。マスクシステム７０が図５Ｂのような配置構成で、位置８４Ｂにあるオリフィス７２を通過した中性子を表す出力信号を発生するか否か検出器アレイ３６を監視する。オリフィス７２が位置８４Ｂにあるときに検出器アレイ３６から検出信号が出力されるか否かが、プロセッサ装置１６に記録される。この点に関して、図５Ａの位置８４Ａと図５Ｂの位置８４Ｂの間の任意の数の中間的な位置についても、検出器アレイ３６が中性子を検出するか否かを評価し、そのような検出（または非検出）を適宜、プロセッサ装置１６に記録できることがわかる。
【００５０】
したがって、マスク装置３８の操作は、検出器アレイ３６に隣接する翼２８上のすべての位置に次々にオリフィス７２を重ね合わせて中性子の透過を表す出力信号を検出器アレイ３６が発生するか否かを検知する、すべての位置の評価が完了するまで、行うことができる。そうする際に、図５Ｃに示すように、様々なマスクを使用する必要があるかもしれないが、ここでは、マスク５２Ｂをマスク装置３８の別のマスク８５と組み合わせることにより、オリフィス７３が翼２８の上の別の位置８４Ｃに重なる別のマスクシステム７０Ａが構成される。例えば、取り外されたマスク５２Ａの代わりにマスク８５を展開させる場合がこれである。開示を簡明にするために、図１、３にはその別のマスク８５は図示しない。マスク８５は、ロボット装置１４のそのマスク自身のマニピュレータによって別個に操作されるが、開示を簡明にするためにそのマニピュレータは図示しない。例示する実施態様において、図５Ｃのオリフィス７３の第１の寸法７６および第２の寸法７８は、図５Ａ、５Ｂのオリフィス７２と同じである。
【００５１】
マスク８５の開口は、当該マスクの端寄り（例えばマスク５２Ａの場合）ではなくほぼ中央にあることがわかるが、このためマスク８５の端部８７は開口５６Ｂの縁部の外側に位置することになる。すなわち、さまざまなマスク（参照符号５２、８５などで示されるマスクや、本願で明示的に示されていない他のマスクを含む）は、さまざまな組み合わせにおいて、中性子ストリーム５０からの中性子のうち、翼２８を透過しさらにオリフィス（例えば７２または７３）も通過する中性子を除くすべての中性子の通過を完全に阻止できるように構成されている。
【００５２】
１つ以上のマスク５２の他のマスク５２に対する移動は、ルーチン２２の１つとしてプログラミング可能であり、それをプロセッサ装置１６およびそれに接続されたロボット装置１４が実行できることがわかる。同様に、さまざまなマスク５２、８５および本願で明記されていない他の同様のマスクを選択し、それらを他の同様のマスク５２と組み合わせて使用することは、同様にルーチン２２の１つとしてプログラミング可能である。
【００５３】
したがって、これまでの説明からわかるように、図５Ａに略示する位置にある検出器アレイ３６が、隣接する翼２８上の１つ以上の位置で翼２８を透過した中性子ストリーム５０からの中性子を検出したことを示す出力信号を発生し、図５Ａに示すようにマスク５２Ａ、５２Ｂが展開され配置された状況で、マスクシステム７０のオリフィス７２がすべての位置（８４Ａ、８４Ｂ、８４Ｃなど）にラスタ方式で順次配置されるようにマスクシステム７０を検出器アレイ３６と翼２８の間で操作すると、検出器アレイ３６がどの位置で再び中性子の透過を示す出力を発生するかを突き止めることができた。換言すれば、図５Ａ〜５Ｃに示すように配置された検出器アレイ３６が隣接する翼２８上のいくつかの位置で中性子を検出したため、検出器アレイ３６と翼２８の間でさまざまなマスク５２を展開させて、オリフィス７２をすべての位置（例えば位置８４Ａ、８４Ｂ、８４Ｃ）にわたって移動させると、検出器アレイ３６に隣接する翼２８上の、中性子が実際に翼２８を透過した位置をより正確に特定できた。
【００５４】
例えば、図５Ｃの位置８４Ｃにおいてのみ、検出器アレイ３６が陽性の信号を発信したことがわかったとする。このことは、検出器アレイ３６が図５Ａ〜５Ｃに示すような制御要素６上の位置にあり、当初、検出器アレイ３６がその断面積の中のいずれかの場所で中性子を検出したことを表す出力信号を発生していたが、実際には位置８４Ｃの範囲内のどこかで中性子が検出されていたということである。これは、翼２８が位置８４Ｃの範囲内に欠陥領域を有することを示す。
【００５５】
オリフィス７３の横断方向の寸法によるが、図５Ｃにおいて位置８４Ｃが中性子の発生元であると突き止めたことで、情報としては十分に精確であり、さらなる分析の必要がないこともある一方、位置８４Ｃを特定してプロセッサ装置１６に伝えるだけでは、制御要素６が当該位置においてまたは総合的に中性子を吸収する能力を評価するうえで十分に精確な情報とは言えず、図５Ｄ、６に略示するように、より具体的および詳細な情報が当然必要であると判断されることがある。例えば、検出器アレイ３６に隣接して配置したマスク５２Ｂ、５８を取り外し、代わりにマスク５２Ｃ、５２Ｄを配置して、マスクシステム７０Ａよりも狭い開口５６Ｃ、５６Ｄを有する別のマスクシステム７０Ｂを構成することが考えられる。すなわち、幅６８Ｃ、６８Ｄは、幅６８Ｂおよびマスク５８の開口幅よりも狭い。したがって、図５Ｄに示すように開口５６Ｃと５６Ｄとを重ね合わすと、オリフィス７２、７３の第１の寸法７６および第２の寸法７８よりも小さい第１の寸法７６Ａおよび第２の寸法７８Ａを有する小さめのオリフィス８３が形成される（図６）。
【００５６】
マスクシステム７０Ｂは、中性子ストリーム５０からの中性子が透過したと判断された図５Ｃの位置８４Ｃに含まれる個別の領域、すなわち、図６に示す複数の精細化位置８８に沿ってオリフィス８３を順次配置するように操作できる。マニピュレータ６２Ｃ、６２Ｄによってマスク５２Ｃ、５２Ｄを操作して、オリフィス８３を当該位置８４Ｃに含まれるさまざまな精細化位置８８の間でラスタ方式で移動させることができるが、この操作は多数の精細化位置８８で中性子の透過を示す信号が検出されるまで行う。検出器アレイ３６が各精細化位置８８に対応する警報信号を出力したか否かが、プロセッサ装置１６に記録される。
【００５７】
中性子が検出された精細化位置８８の例を、図６に陰影線を付けて参照符号９０Ａ、９０Ｂ、９０Ｃ、９０Ｄ、９０Ｅで略示するが、本願においてそれらは集合的にまたは個別に参照符号９０で表すことがある。中性子信号が検出された精細化位置９０が情報として十分に詳細かつ精確なものであれば、位置８４Ｃの評価を終了して、検出器アレイ３６を制御要素６０の長軸沿いの別の位置へ移動させることができる。あるいは、精細化位置９０をさらに詳細に分析したければ、さらに小さな開口を有する別のマスク５２を展開させて、各精細化位置９０に含まれるさらに精細化された多数の領域をラスタ方式で評価し、その結果、そのようなさらに精細化された領域へ移動したとき検出器アレイ３６が出力信号を発生すれば、この信号をプロセッサ装置１６に記録し、中性子ストリーム５０が透過した翼２８上の精確な位置に関する十分に詳細な情報が得られれば検査を終了することができる。繰り返し述べるが、検出器アレイ３６からのそのような出力はすべて、リアルタイムでプロセッサ装置１６が受信する。
【００５８】
当初は検出器アレイ３６が出力を発生するまで当該検出器アレイ３６をマスク装置３８を展開せずに使用し、次に、中性子信号が検出された位置（例えば８４Ａ、８４Ｂ、８４Ｃ）および精細化位置８４、９０（さらなる例）を段階的に小さくした開口５６を有するマスク５２を使用して検査すると、検査時間の短縮、迅速な検査手順の実現が可能であることがわかる。最小可能サイズのオリフィスを用いて翼２８全体を評価することもできるが、そのような評価は非常に多くの時間がかかるため、不要である可能性が高い。しかし、比較的大きな開口５６Ａ、５６Ｂを有するマスク５２Ａ、５２Ｂにより比較的粗い分析を行って、中性子信号が検出されたさまざまな位置８４を粗い精度で特定したあと、比較的小さな開口５６Ｃ、５６Ｄを有するマスク５２Ｃ、５２Ｄにより比較的高精度の評価を行うと、中性子信号の存在が判明している位置８４のみを比較的高い精度で評価することができる。したがって、マスク５２Ａ、５２Ｂによって提供される比較的粗い分析方法を用いると、信号が検出されなかったさまざまな位置を迅速に評価して除外し、中性子信号の検出が判明した位置についてのみ比較的高い精度で分析することができる。中性子信号が検出された位置でそのように精度を段階的に上げて評価を行うと、効率が高まり、無駄な時間を極力減らすことができる。
【００５９】
使用可能なマスク５には、制御要素６の通孔６９の構成によって異なる多種多様なものがある。前述のように、図１に例示する様式の翼２８Ｂの通孔６９（すべての翼２８の実質的に全長にわたって分布する典型的な通孔６９）は、ホウ素または他の中性子吸収材を収容する通孔６９の既知の構成方法の１つ（すなわち、ハブ２４の長軸に垂直に延びる）によるものである。前述のように、ホウ素または他の中性子吸収材を収容する通孔が、ハブ２４の長軸に平行に延びる別の設計もある。したがって、そのような別の構成の通孔を評価するために最適化された、種々のサイズおよび／または形状および／または方向の開口を有する様々な構成のマスクを提供するのが望ましいことがある。
【００６０】
別案のマスクシステム１７０を図７Ａ〜７Ｃに示す。この別案のマスクシステム１７０は、開口１５６の寸法の選択肢が複数あるように構成されている。これは、マスクシステム１７０を、切欠き１６０を有する第１の板状部材１５４と第１の板状部材１５４に対して移動可能な第２の板状部材１６６とから成るように構成することによって実現する。この点については、第１の板状部材１５４に対して第２の板状部材１６６を移動させるか、または第２の板状部材１６６に対して第１の板状部材１５４を移動させるために、マスクシステム１７０に別個のロボット牽引装置を設けるとよい。図７Ａ〜７Ｃからわかるように、開口１５６の長さ１６４が固定されているが、幅は、例えば、比較的大きい幅１６８Ａ（図７Ａに例示）、比較的小さい幅１６８Ｂ（図７Ｂに例示）、さらに小さい幅１６８Ｃ（図７Ｃに例示）の間で変更可能である。このさまざまな幅１６８Ａ、１６８Ｂ、１６８Ｃは例示的であり、本発明の精神から逸脱することなく、さらに大きい幅や、さらに小さい幅にすることができる。
【００６１】
例えば、マスクシステム１７０は、取り外されて、比較的狭い開口５６Ｃを有するマスク５２Ｃと交換されるマスク５２Ａの代わりに用いることが可能である。同様な別例として、マスクシステム１７０はマスク５２Ｂ、５２Ｄの両方の代わりに使用できるが、この例では、マスク５２Ｄと交換されるマスク５２Ｂを取り外す必要がなくなる。マスクシステム１７０はむしろ、検出器アレイ３６に隣接した状態のまま保持し、単に開口１５６の幅が狭くなるように操作することも可能である。例えば、幅を図７Ａに参照符号１６８Ａで示す幅から、図７Ｃに参照符号１６８Ｃで示す狭い幅になるまで段階的に変化させる。マスクシステム１７０は、制限なしに、別の事例のマスクシステム１７０や他のマスク５２とともに使用可能である。
【００６２】
マスクシステム１７０は、開口１５６の幅だけでなく長さ１６４も変えることができ、同様に開口１５６の位置も変えられる別の形態にすることが可能である。さまざまな開口位置または開口寸法およびその両方を提供するマスクシステムの多数のさらなる構成を想定することができる。
【００６３】
本願で開示および特許請求する発明の改良された方法を、図８Ａ、８Ｂに略示する。プロセスの開始点であるステップ２０４において、オフ状態の中性子透過撮影装置１２を原子力施設８の検査用水プール３０に搬入し、中性子放出源３２を所定の深さ８２かそれ以上の深さに沈める。次のステップ２０８において、制御要素６を水プール３０に搬入して、制御要素６の翼２８または他の部分が概して中性子放出源３２と検出器アレイ３６の間に位置するようにする。次にステップ２１２において、中性子放出源３２を、加速器４２に通電して中性子ストリーム５０を放出させることにより、オフ状態からオン状態へ切り替える。次いで、支持体５２を制御要素６に対して、または制御要素６を支持体５２に対して少しずつ移動させながら、中性子ストリーム５０のうち、吸収されずに制御要素６の一部を透過した部分を表す信号が検出器アレイ３６から出力されないか否か監視する。そのような出力が検出されると、この出力を受信した入力装置１８がプロセッサ装置１６へ入力信号として提供する。ステップ２２０において、検出器アレイ３６からしきい値を超える信号が検出されない場合、ステップ２１６においてプロセスを続行し、中性子透過撮影装置１２を制御要素６に沿ってさらに漸進させる。一方、ステップ２２０において検出器アレイ３６から信号を受信した場合、ステップ２２４において出力を発生させることができる。上述のような出力は入力装置１８が受信し、その結果、警報信号の出力、またはマスクシステム３８を操作するルーチン２２の起動、またはその両方が起こる。
【００６４】
例えば、ステップ２２８において、マスク装置３８の一部を、概して中性子放出源３２および検出器アレイ３６から離れた位置から、概して中性子放出源３２と検出器アレイ３６の間の別の位置へ移動させる。次に、ステップ２３２においてプロセスを継続し、マスクシステム３８を用いて制御要素６を評価するが、その評価は、初期サイズのオリフィス７２を制御要素６の対応領域の周りでラスタ方式で移動させながら、中性子ストリーム５０のうち吸収されずに制御要素６およびオリフィス７２を透過した部分を表す別の信号の存否につき検出器アレイ３６を監視して行う。ステップ２３６において、プロセッサ装置１６は、検出器アレイ３６からその別の信号を受信した制御要素６上の１つ以上の位置を記録する。ステップ２４０においてより精細な評価が不要であると判断されれば、ステップ２４４において分析を終了し、専門家による評価を受けるため分析結果を出力させる。
【００６５】
しかし、ステップ２４０においてより精細な評価が望ましいと判断されれば、ステップ２４８においてプロセスを継続し、検出器アレイ３６が信号を検出した位置を、マスクシステムおよび小さめのサイズのオリフィス８３により、さらに評価する。そのような分析は、やはり前述のようなラスタ方式で行うかまたは、本発明の精神から逸脱することなく別の方式で行うこともできる。ステップ２５２において、検出器アレイ３６から精細化信号が受信された制御要素６上のより精細に特定された位置のうちの任意の１つを記録する。
【００６６】
上述の検査手順は、効率面の必要性に応じて、さまざまな順序のうち任意の順序で実行できることがわかる。例えば、翼２８全体を、マスク装置３８を配置せず中性子放出源３２および検出器アレイ３６を用いて評価すると、中性子信号が検出されるさまざまな位置を見つけることができる。その後、大きめの開口５６Ａ、５６Ｂを有するマスク５２Ａ、５２Ｂを用いて別の走査を行うが、そのようなマスクシステム７０を、マスク装置３８を使用しなかった最初の走査の際に検出され記録されたさまざまな位置にわたってラスタ方式で移動させる。マスク６２Ａ、６２Ｂを配置した状況で信号が検出されたさまざまな位置が記録される。これは、評価対象である翼の全長にわたって行うことができる。さらに、より精細なマスク５２Ｃ、５２Ｄを用いて制御要素の全長にわたって別の走査を行うことができるが、その際に、すでに信号が検出され記録された位置のみがマスクシステム７０Ａによるさらなる分析の対象となる。その他の変形例についても自明である。
【００６７】
したがって、本願で説明する検出装置および方法は、制御要素６の迅速な評価とともに、制御要素の交換が必要であるか否か、あるいは制御要素６を原子力施設８内で再展開させ得るか否かの判断を可能にすることがわかる。複数の中性子放出源および検出器アレイを用いて複数の翼２８を同時に評価する、検出装置４の変形例を提供することができる。中性子放出源３２は、有利なことに、オフ状態とオン状態の間で切り替え可能であるため、或る位置から別の位置への移動に遮蔽が不要である。上述のように、既知のカリホルニウム中性子放出源は、オフ状態に切り替えられないので、深さ５メートルの大きな水プールが存在しないときは線源の輸送に厳重に遮蔽された輸送キャスクが別途必要となるが、中性子放出源３２はそのような遮蔽が不要で有利である。さらに、検出器アレイ３６とマスクシステム３８を用いる評価は、翼２８のリアルタイム分析を可能にするだけでなく、評価の実施効率を高め、フィルムの長時間にわたる中性子源への露出を不要にする。また、オリフィスを徐々に小さくできるマスク装置３８の構成によって、より精細な評価がより精細な評価を必要とする位置だけに限定されるため、評価時間が短縮され、制御要素６の総合評価が迅速に行える。その他の利点も自明である。
【００６８】
本発明の特定の実施態様について詳しく説明してきたが、当業者は、本開示書全体の教示するところに照らして、これら詳述した実施態様に対する種々の変更および代替への展開が可能である。したがって、ここに開示した特定の実施態様は説明目的だけのものであり、本発明の範囲を何ら制約せず、本発明の範囲は添付の特許請求の範囲に記載の全範囲およびその全ての均等物を包含する。
【図１】
2020531806.tif 000003
【図２】
2020531806.tif 000004
【図３】
2020531806.tif 000005
【図４】
2020531806.tif 000006
【図５Ａ】
2020531806.tif 000007
【図５Ｂ】
2020531806.tif 000008
【図５Ｃ】
2020531806.tif 000009
【図５Ｄ】
2020531806.tif 000010
【図６】
2020531806.tif 000011
【図７Ａ】
2020531806.tif 000012
【図７Ｂ】
2020531806.tif 000013
【図７Ｃ】
2020531806.tif 000014
【図８Ａ】
2020531806.tif 000015
【図８Ｂ】
2020531806.tif 000016
【国際調査報告】
2020531806.tif 000017
2020531806.tif 000018